(57)【要約】【課題】  センターケースから排出された遊技球が、始動入賞口に入賞する確率を高めることができるパチンコ機を実現する。【解決手段】  センターケース３０のハウジング３１に取込まれた排出球Ｐ１が排出口３８から排出されるタイミングになると、阻止部材駆動ソレノイド２０がオンされ、阻止部材１１，１２の先端部が、排出口３８の両側に形成された貫通部３１ｇ，３１ｈから遊技領域６ａへ進出し、ハウジング３１に取込まれずに流下する流下球Ｐ２の流下経路を遮断する。これにより、排出球Ｐ１と流下球Ｐ２との干渉が阻止されるため、排出球Ｐ１が特定領域２を通過する確率を高めることができる。また、排出球Ｐ１が特定領域２を通過したタイミングになると、阻止部材駆動ソレノイド２０がオフされ、阻止部材１１，１２は貫通部３１ｇ，３１ｈの内部へ退避する。【選択図】  図６
2006314455.tif 000002
【特許請求の範囲】
【請求項１】
遊技盤と、
この遊技盤の遊技領域に設けられており、前記遊技領域を流下する遊技球を受入れるための開口部が設けられたハウジングと、
前記遊技領域内に開口しており、前記開口部から前記ハウジングの内部に受入れられた遊技球を前記遊技領域へ排出する排出口と、
この排出口の直下に設けられており、前記開口部に受入れられないで前記遊技領域を流下した遊技球（以下、流下球という）および前記排出口から排出された遊技球（以下、排出球という）が共に通過可能な特定領域と、
前記排出球が前記特定領域へ流下可能な排出球流下経路と、
前記流下球が前記特定領域へ流下可能な流下経路であって前記排出球流下経路と一部が共通する流下球流下経路と、
この流下球流下経路のうち、前記排出球流下経路と共通しない所定の領域に存在することにより、前記流下球が前記所定の領域を通過して前記特定領域へ流下することを阻止し、かつ、前記所定の領域に存在しないことにより、前記流下球が前記所定の領域を通過して前記特定領域へ流下することを許容する阻止部材と、
前記排出球が前記排出球流下経路を流下している所定期間は、前記阻止部材をその少なくとも一部が前記所定の領域に存在する第１の形態に変化させ、前記所定期間の経過後は、前記少なくとも一部が前記所定の領域から退避した第２の形態に変化させる変化手段と、
を備えたことを特徴とするパチンコ機。
【請求項２】
前記変化手段は、前記所定の領域の後方に位置する前記遊技盤の盤面を前後方向に貫通した貫通部を備えており、
前記阻止部材は、その少なくとも一部が前記貫通部から前記所定の領域へ進出することにより前記第１の形態に変化し、前記少なくとも一部が前記所定の領域から前記貫通部の方向へ退避することにより前記第２の形態に変化することを特徴とする請求項１に記載のパチンコ機。
【請求項３】
前記阻止部材は、その少なくとも一部が前記貫通部から前記所定の領域へ直線的に進出することにより前記第１の形態に変化し、前記少なくとも一部が前記所定の領域から前記貫通部の方向へ直線的に退避することにより前記第２の形態に変化するものであることを特徴とする請求項２に記載のパチンコ機。
【請求項４】
前記阻止部材は、回転することにより、少なくとも一部が前記貫通部から前記所定の領域へ進出して前記第１の形態に変化し、その第１の形態に変化した状態から回転することにより、前記少なくとも一部が前記所定の領域から前記貫通部の方向へ退避して前記第２の形態に変化するものであることを特徴とする請求項２に記載のパチンコ機。
【請求項５】
前記変化手段には、
前記排出口から排出される前の前記排出球の作用により動作する作用部材が備えられており、前記阻止部材は、前記作用部材の動作により前記第１の形態および前記第２の形態にそれぞれ変化することを特徴とする請求項４に記載のパチンコ機。
【請求項６】
前記阻止部材および前記作用部材の少なくとも一方は所定個所に回動軸により前後方向へ回動可能に軸支されており、
前記阻止部材および前記作用部材の少なくとも一方の前記回動軸よりも後方には前記変化手段を構成する錘が取付けられており、
前記作用部材は、その上部を前記排出球が転動可能に形成されており、かつ、その転動した排出球が前記排出口から排出可能な位置に配置されており、
前記阻止部材は、前記排出球が前記作用部材に作用していないときは、前記錘の自重によって前記第２の形態を維持し、前記排出球が前記作用部材に作用すると前記錘の自重に抗して前方へ回動して前記第１の形態に変化し、かつ、前記作用部材の上部を転動している排出球が前記排出口へ排出されると前記錘の自重により前記第２の形態に復帰することを特徴とする請求項５に記載のパチンコ機。
【請求項７】
前記変化手段には、
前記排出球を前記排出口から排出される前に検出する検出手段と、
この検出手段により前記排出球が検出されたタイミングに基づいて、前記阻止部材が前記第１の形態および前記第２の形態にそれぞれ変化するように前記阻止部材を駆動する駆動手段とが備えられたことを特徴とする請求項１ないし請求項４のいずれか１つに記載のパチンコ機。
【請求項８】
前記排出球が前記検出手段によって検出されてから前記排出球の一部が前記排出口から露出するまでには第１の時間を要し、
前記駆動手段は、前記排出球が前記検出手段によって検出されてから前記第１の時間が経過したときに前記阻止部材を前記第１の形態に変化させることを特徴とする請求項７に記載のパチンコ機。
【請求項９】
前記排出球が前記検出手段によって検出されてから前記特定領域を通過するまでには第２の時間を要し、
前記駆動手段は、前記排出球が前記検出手段によって検出されてから前記第２の時間が経過したときに前記阻止部材を前記第２の形態に変化させることを特徴とする請求項７または請求項８に記載のパチンコ機。
【請求項１０】
前記検出手段が前記排出球を検出したときに、前記駆動手段を駆動して前記阻止部材を前記第１の形態に変化させるか否かを決定する決定手段を備えており、
前記駆動手段は、前記決定手段が前記駆動手段を駆動して前記阻止部材を前記第１の形態に変化させると決定した場合に前記阻止部材を前記第１の形態に変化させることを特徴とする請求項７ないし請求項９のいずれか１つに記載のパチンコ機。
【請求項１１】
遊技状態が所定の遊技状態に変化したときに、前記阻止部材が前記第１の形態へ変化することを禁止する禁止手段を備えたことを特徴とする請求項１ないし請求項１０のいずれか１つに記載のパチンコ機。
【請求項１２】
前記駆動手段の駆動源は、ソレノイドであることを特徴とする請求項７ないし請求項１１のいずれか１つに記載のパチンコ機。
【請求項１３】
前記駆動手段の駆動源は、モータであることを特徴とする請求項７ないし請求項１１のいずれか１つに記載のパチンコ機。
【請求項１４】
前記阻止部材は、少なくとも前記排出球の一部が前記排出口から前記遊技領域へ露出したときには、前記第１の形態に変化していることを特徴とする請求項１ないし請求項１３のいずれか１つに記載のパチンコ機。
【請求項１５】
前記阻止部材は、少なくとも前記排出球の一部が前記排出口から前記遊技領域へ露出してから前記特定領域を通過するまでの間は、前記第１の形態に変化していることを特徴とする請求項１ないし請求項１３のいずれか１つに記載のパチンコ機。
【請求項１６】
前記流下球流下経路は、前記排出球流下経路の両側に形成されており、
前記阻止部材は、各流下球流下経路においてそれぞれ前記第１の形態に変化するものであることを特徴とする請求項１ないし請求項１５のいずれか１つに記載のパチンコ機。
【請求項１７】
前記流下球流下経路は、前記排出球流下経路の両側に形成されており、
前記阻止部材は、一方の流下球流下経路において前記第１の形態に変化するものであることを特徴とする請求項１ないし請求項１５のいずれか１つに記載のパチンコ機。
【発明の詳細な説明】
【技術分野】
【０００１】
この発明は、受入れた遊技球を遊技領域へ排出する排出口を有するハウジングと、排出口の直下に設けられた始動口などの特定領域とを備えたパチンコ機に関する。
【背景技術】
【０００２】
従来、この種のパチンコ機として特許文献１に記載のものが知られている。このパチンコ機は、図柄表示装置（公報では表示部と記載）の外周部を囲むようにして設けられたセンターケース（公報ではセンターフレームと記載）を備える。そのセンターケースの天井部には、遊技球を取込む球取込口（公報では入口部と記載）が設けられており、センターケースの前面下部には、球取込口から取込まれた遊技球を遊技領域へ排出する排出口（公報では開口部と記載）が設けられている。その排出口の直下には、始動入賞口（公報では作動口と記載）が設けられている。また、排出口の内部には、排出される遊技球を始動入賞口へ案内する排出案内部が設けられている。始動入賞口の下方には、変動入賞装置（公報では大入賞口を開閉するシャッタと記載）が設けられている。
そして、排出口から排出された遊技球が始動入賞口に入賞すると、図柄表示装置が特別図柄の変動表示を開始し、大当り図柄が停止すると大当りが発生し、変動入賞装置が作動し、大入賞口が開口する。
【０００３】
【特許文献１】特開２００４−１７４２７１号公報（第３０段落、図１）
【発明の開示】
【発明が解決しようとする課題】
【０００４】
しかし、上記従来のパチンコ機は、センターケースの球取込口に取込まれずに、センターケースの側方を流下してきた遊技球も始動入賞口に入賞できる構造になっているため、取込口に取込まれ、排出口から排出された遊技球と、センターケースの球取込口に取込まれずに、センターケースの側方を流下してきた遊技球とが干渉し、排出口から排出された遊技球が始動入賞口に入賞しない場合がある。
このような現象が起こると、遊技球が既にセンターケースの球取込口に取込まれた時点で、その遊技球の始動入賞口への入賞に高い期待を抱いている遊技者にとって、落胆は甚だしく、著しい興趣の低下を招く原因となっている。特に、始動入賞口への入賞が、特別図柄の変動表示開始の契機となるため、その契機が失われることになるので、遊技者に大きな不利益が及ぶことになる。
【０００５】
そこでこの発明は、センターケースから排出された遊技球が、始動入賞口に入賞する確率を高めることができるパチンコ機を実現することを目的とする。
【課題を解決するための手段】
【０００６】
この発明は、上記目的を達成するため、請求項１ないし請求項１６に記載の発明では、遊技盤（６）と、この遊技盤（６）の遊技領域（６ａ）に設けられており、前記遊技領域（６ａ）を流下する遊技球（Ｐ１）を受入れるための開口部（３５）が設けられたハウジング（３１）と、前記遊技領域（６ａ）内に開口しており、前記開口部（３５）から前記ハウジング（３１）の内部に受入れられた遊技球（Ｐ１）を前記遊技領域（６ａ）へ排出する排出口（３８）と、この排出口（３８）の直下に設けられており、前記開口部（３５）に受入れられないで前記遊技領域（６ａ）を流下した遊技球（Ｐ２）（以下、流下球という）および前記排出口（３８）から排出された遊技球（Ｐ１）（以下、排出球という）が共に通過可能な特定領域（２）と、前記排出球（Ｐ１）が前記特定領域（２）へ流下可能な排出球流下経路（Ｒ１）と、前記流下球（Ｐ２）が前記特定領域（２）へ流下可能な流下経路であって前記排出球流下経路（Ｒ１）と一部が共通する流下球流下経路（Ｒ２）と、この流下球流下経路（Ｒ２）のうち、前記排出球排出経路（Ｒ１）と共通しない所定の領域に存在することにより、前記流下球（Ｐ２）が前記所定の領域を通過して前記特定領域（２）へ流下することを阻止し、かつ、前記所定の領域に存在しないことにより、前記流下球（Ｐ２）が前記所定の領域を通過して前記特定領域（２）へ流下することを許容する阻止部材（１１、１２、５１、５２、６４ｂ、６４ｂ）と、前記排出球（Ｐ１）が前記排出球流下経路（Ｒ１）を流下している所定期間は、前記阻止部材（１１、１２、５１、５２、６４ｂ、６４ｂ）をその少なくとも一部が前記所定の領域に存在する第１の形態に変化させ、前記所定期間の経過後は、前記少なくとも一部が前記所定の領域から退避した第２の形態に変化させる変化手段（７、１３、２０、３１ｇ、３１ｈ、５４、５５、６１、６１ａ、６２、６３、６３ａ、６４ａ、１１２）と、を備えたという技術的手段を用いる。
【０００７】
請求項２に記載の発明では、請求項１に記載のパチンコ機（１）において、前記変化手段（１３、２０、３１ｇ、３１ｈ、５４、５５、６１、６１ａ、６２、６３、６３ａ、６４ａ、１１２）は、前記所定の領域の後方に位置する前記遊技盤（６）の盤面を前後方向に貫通した貫通部（３１ｇ、３１ｈ、３１ｓ、３１ｔ）を備えており、前記阻止部材（１１、１２、５１、５２、６４ｂ、６４ｂ）は、その少なくとも一部が前記貫通部（３１ｇ、３１ｈ、３１ｓ、３１ｔ）から前記所定の領域へ進出することにより前記第１の形態に変化し、前記少なくとも一部が前記所定の領域から前記貫通部（３１ｇ、３１ｈ、３１ｓ、３１ｔ）の方向へ退避することにより前記第２の形態に変化するという技術的手段を用いる。
【０００８】
請求項３に記載の発明では、請求項２に記載のパチンコ機（１）において、前記阻止部材（１１、１２）は、その少なくとも一部が前記貫通部（３１ｇ、３１ｈ、３１ｓ、３１ｔ）から前記所定の領域へ直線的に進出することにより前記第１の形態に変化し、前記少なくとも一部が前記所定の領域から前記貫通部の方向へ直線的に退避することにより前記第２の形態に変化するものであるという技術的手段を用いる。
【０００９】
請求項４に記載の発明では、請求項２に記載のパチンコ機（１）において、前記阻止部材（５１、５２、６４ｂ、６４ｂ）は、回転することにより、少なくとも一部（５１ａ、５２ａ）が前記貫通部（３１ｇ、３１ｈ）から前記所定の領域へ進出して前記第１の形態に変化し、その第１の形態に変化した状態から回転することにより、前記少なくとも一部（５１ａ、５２ａ）が前記所定の領域から前記貫通部（３１ｇ、３１ｈ）の方向へ退避して前記第２の形態に変化するものであるという技術的手段を用いる。
【００１０】
請求項５に記載の発明では、請求項請求項４に記載のパチンコ機（１）において、前記変化手段（７、１３、２０、３１ｇ、３１ｈ、５４、５５、６１、６１ａ、６２、６３、６３ａ、６４ａ、１１２）には、前記排出口（３８）から排出される前の前記排出球（Ｐ１）の作用により動作する作用部材（５４）が備えられており、前記阻止部材（５１、５２）は、前記作用部材（５４）の動作により前記第１の形態および前記第２の形態にそれぞれ変化するという技術的手段を用いる。
【００１１】
請求項６に記載の発明では、請求項５に記載のパチンコ機（１）において、前記阻止部材（５１、５２）および前記作用部材（５４）の少なくとも一方は所定個所に回動軸（５３）により前後方向へ回動可能に軸支されており、前記阻止部材（５１、５２）および前記作用部材（５４）の少なくとも一方の前記回動軸（５３）よりも後方には前記変化手段を構成する錘（５５）が取付けられており、前記作用部材（５４）は、その上部（５４ｂ）を前記排出球（Ｐ１）が転動可能に形成されており、かつ、その転動した排出球（Ｐ１）が前記排出口（３８）から排出可能な位置に配置されており、前記阻止部材（５１、５２）は、前記排出球（Ｐ１）が前記作用部材（５４）に作用していないときは、前記錘（５５）の自重によって前記第２の形態を維持し、前記排出球（Ｐ１）が前記作用部材（５４）に作用すると前記錘（５５）の自重に抗して前方へ回動して前記第１の形態に変化し、かつ、前記作用部材（５４）の上部（５４ｂ）を転動している排出球（Ｐ１）が前記排出口（３８）へ排出されると前記錘（５５）の自重により前記第２の形態に復帰するという技術的手段を用いる。
【００１２】
請求項７に記載の発明では、請求項１ないし請求項４のいずれか１つに記載のパチンコ機（１）において、前記変化手段（７、１３、２０、３１ｇ、３１ｈ、５４、５５、６１、６１ａ、６２、６３、６３ａ、６４ａ、１１２）には、前記排出球（Ｐ１）を前記排出口（３８）から排出される前に検出する検出手段（７）と、この検出手段（７）により前記排出球（Ｐ１）が検出されたタイミングに基づいて、前記阻止部材（５１、５２、６４ｂ、６４ｂ）が前記第１の形態および前記第２の形態にそれぞれ変化するように前記阻止部材（５１、５２、６４ｂ、６４ｂ）を駆動する駆動手段（１３、２０、６１、６１ａ、６２、６３、６３ａ、６４ａ）とが備えられたという技術的手段を用いる。
【００１３】
請求項８に記載の発明では、請求項７に記載のパチンコ機（１）において、前記排出球（Ｐ１）が前記検出手段（７）によって検出されてから前記排出球（Ｐ１）の一部が前記排出口（３８）から露出するまでには第１の時間を要し、前記駆動手段（１３、２０、６１、６１ａ、６２、６３、６３ａ、６４ａ）は、前記排出球（Ｐ１）が前記検出手段（７）によって検出されてから前記第１の時間が経過したときに前記阻止部材（５１、５２、６４ｂ、６４ｂ）を前記第１の形態に変化させるという技術的手段を用いる。
【００１４】
請求項９に記載の発明では、請求項７または請求項８に記載のパチンコ機（１）において、前記排出球（Ｐ１）が前記検出手段（７）によって検出されてから前記特定領域（２）を通過するまでには第２の時間を要し、前記駆動手段（１３、２０、６１、６１ａ、６２、６３、６３ａ、６４ａ）は、前記排出球（Ｐ１）が前記検出手段（７）によって検出されてから前記第２の時間が経過したときに前記阻止部材（５１、５２、６４ｂ、６４ｂ）を前記第２の形態に変化させるという技術的手段を用いる。
【００１５】
請求項１０に記載の発明では、請求項７ないし請求項９のいずれか１つに記載のパチンコ機（１）において、前記検出手段（７）が前記排出球（Ｐ１）を検出したときに、前記駆動手段（１３、２０、６１、６１ａ、６２、６３、６３ａ、６４ａ）を駆動して前記阻止部材（５１、５２、６４ｂ、６４ｂ）を前記第１の形態に変化させるか否かを決定する決定手段（図１８のステップ３，４）を備えており、前記駆動手段（２０、６１）は、前記決定手段が前記阻止部材（５１、５２、６４ｂ、６４ｂ）を前記第１の形態に変化させると決定した場合に前記阻止部材（５１、５２、６４ｂ、６４ｂ）を前記第１の形態に変化させるという技術的手段を用いる。
【００１６】
請求項１１に記載の発明では、請求項１ないし請求項１０のいずれか１つに記載のパチンコ機（１）において、遊技状態が所定の遊技状態に変化したときに、前記阻止部材（５１、５２、６４ｂ、６４ｂ）が前記第１の形態へ変化することを禁止する禁止手段を備えたという技術的手段を用いる。
【００１７】
請求項１２に記載の発明では、請求項７ないし請求項１１のいずれか１つに記載のパチンコ機（１）において、前記駆動手段（１３、２０、６１、６１ａ、６２、６３、６３ａ、６４ａ）の駆動源は、ソレノイド（２０）であるという技術的手段を用いる。
【００１８】
請求項１３に記載の発明では、請求項７ないし請求項１１のいずれか１つに記載のパチンコ機（１）において、前記駆動手段（１３、２０、６１、６１ａ、６２、６３、６３ａ、６４ａ）の駆動源は、モータ（６１）であるという技術的手段を用いる。
【００１９】
請求項１４に記載の発明では、請求項１ないし請求項１３のいずれか１つに記載のパチンコ機（１）において、前記阻止部材（１１、１２、５１、５２、６４ｂ、６４ｂ）は、少なくとも前記排出球（Ｐ１）の一部が前記排出口（３８）から前記遊技領域（６ａ）へ露出したときには、前記第１の形態に変化しているという技術的手段を用いる。
【００２０】
請求項１５に記載の発明では、請求項１ないし請求項１３のいずれか１つに記載のパチンコ機（１）において、前記阻止部材（１１、１２、５１、５２、６４ｂ、６４ｂ）は、少なくとも前記排出球（Ｐ１）の一部が前記排出口（３８）から前記遊技領域（６ａ）へ露出してから前記特定領域（２）を通過するまでの間は、前記第１の形態に変化しているという技術的手段を用いる。
【００２１】
請求項１６に記載の発明では、請求項１ないし請求項１５のいずれか１つに記載のパチンコ機（１）において、前記流下球流下経路（Ｒ２）は、前記排出球流下経路（Ｒ１）の両側に形成されており、前記阻止部材（１１、１２、５１、５２、６４ｂ、６４ｂ）は、各流下球流下経路（Ｒ２）においてそれぞれ前記第１の形態に変化するものであるという技術的手段を用いる。
【００２２】
請求項１７に記載の発明では、請求項１ないし請求項１５のいずれか１つに記載のパチンコ機（１）において、前記流下球流下経路（Ｒ２）は、前記排出球流下経路（Ｒ１）の両側に形成されており、前記阻止部材（１１、１２、５１、５２、６４ｂ、６４ｂ）は、一方の流下球流下経路（Ｒ２）において前記第１の形態に変化するものであるという技術的手段を用いる。
なお、上記の括弧内の符号は、後述する実施形態において使用する符号と対応するものである。
【発明の効果】
【００２３】
（請求項１に係る発明の効果）
変化手段は、排出球が排出球流下経路を流下している所定期間は、阻止部材をその少なくとも一部が、流下球流下経路のうち、排出球流下経路と共通しない所定の領域に存在する第１の形態に変化させるため、排出球が排出球流下経路を流下している所定期間は、流下球が上記所定の領域を通過して特定領域へ流下することを阻止することができる。
従って、排出口から排出された排出球が、特定領域を通過する確率を高めることができるパチンコ機を実現することができる。
また、変化手段は、上記所定期間の経過後は、上記少なくとも一部が上記所定の領域から退避した第２の形態に変化させることができるため、流下球が特定領域を通過可能な状態になる。
【００２４】
（請求項２に係る発明の効果）
阻止部材は、第２の形態に変化しているとき、つまり流下球の流下を阻止する必要のないときは、遊技盤の盤面を前後方向に貫通した貫通部の方向へ退避するため、阻止部材の少なくとも一部を収容しておく箇所を盤面上に設ける必要がない。
従って、阻止部材の少なくとも一部を収容しておく箇所を盤面上に設けることにより、遊技球の流下の障害となることもない。
また、阻止部材が第２の形態から第１の形態に変化するとき、その少なくとも一部が、突然、盤面の方向から所定の領域に進出するという動きを見せることができるため、遊技者の関心を引くことができる。
さらに、阻止部材は、第１の形態に変化しているときは、その一部が所定の領域に進出しており、第２の形態に変化しているときは、その一部は貫通部の方向へ退避しているため、阻止部材の少なくとも一部の形態の変化が大きいので、どちらの形態に変化しているのか一目瞭然である。
【００２５】
（請求項３に係る発明の効果）
阻止部材の少なくとも一部を、貫通部と所定の領域との間で直線的に動かすことにより、流下球の所定の領域通過を阻止したり許容したりすることができるため、阻止部材を動かすための制御を、オン・オフ制御の比較的簡易なものにすることができる。
【００２６】
（請求項４に係る発明の効果）
阻止部材の少なくとも一部を、貫通部と所定の領域との間で回転させることにより、流下球の所定の領域通過を阻止したり許容したりすることができるため、阻止部材を動かすための制御を、回転制御の比較的簡易なものにすることができる。また、阻止部材が回転すると、その少なくとも一部は、上記所定の領域内を上下に動くように見える。さらに、阻止部材が上記貫通部から上記所定の領域へ進出するときは、上記所定の領域のうち、阻止部材によって遮断される領域が次第に増加し、阻止部材が上記所定の領域から遊技盤の盤面方向へ退避するときは、上記遮断される領域が次第に減少する。
【００２７】
（請求項５に係る発明の効果）
阻止部材が第１の形態および第２の形態にそれぞれ変化するのは、排出球の作用部材への作用が前提であるため、排出球が排出されるときは必ず阻止部材を第１の形態に変化させることができる。
従って、流下球および排出球の干渉を確実になくすことができるため、排出球が特定領域を通過する確率を高めることができる。
また、阻止部材を動かすためのモータやソレノイドなどの電気的な駆動源が不要であるので、それらの駆動源を使用する場合よりも、阻止部材を動かすための構造の耐久性を高めることができ、かつ、故障率を低下させることができる。さらに、電気的な駆動源を使用する場合よりもパチンコ機の製造費を低減することもできる。
【００２８】
（請求項６に係る発明の効果）
排出球が作用部材の上部を転動すると、阻止部材は回動軸を中心にして前方へ回動して第１の形態に変化し、作用部材の上部を転動している排出球が排出口へ排出されると、錘の自重により第２の形態に復帰することができる。つまり、流下する排出球が持つエネルギーを利用した簡易な構成により、流下球および排出球の干渉をなくし、排出球が特定領域を通過する確率を高めることができる。
【００２９】
（請求項７に係る発明の効果）
駆動手段は、排出球を排出口から排出される前に検出する検出手段により排出球が検出されたタイミングに基づいて、阻止部材を第１の形態および第２の形態にそれぞれ変化するように駆動するため、排出球が排出口から排出される最適のタイミングで阻止部材を第１の形態に変化させることができる。
従って、流下球および排出球の干渉を確実になくすことができる。また、排出口へ向けて流下する排出球が存在しないときに阻止部材が第１の形態に変化してしまったり、阻止部材が第１の形態に変化するタイミングが早いことにより、流下球が特定領域を通過する機会が減少するおそれもない。
【００３０】
（請求項８に係る発明の効果）
排出球の一部が排出口から露出する丁度のタイミングで阻止部材を第１の形態に変化させることができるため、流下球および排出球の干渉の阻止を時間の損失もなく確実に行うことができる。
【００３１】
（請求項９に係る発明の効果）
排出球が特定領域を通過した丁度のタイミングで阻止部材を第２の形態に変化させることができる。つまり、排出球が特定領域を通過するまでは阻止部材を第１の形態に変化させておくことができるため、排出球の一部が排出口から露出してから排出球が特定領域を通過するまでの期間は、流下球および排出球の干渉を確実になくすことができるので、排出球が特定領域を通過する確率をより一層高めることができる。
また、排出球が特定領域を通過した以降も阻止部材が第１の形態に変化していることもないので、流下球の特定領域通過の機会が減少するおそれもない。
【００３２】
（請求項１０に係る発明の効果）
検出手段が排出球を検出したときに、駆動手段を駆動して阻止部材を第１の形態に変化させるか否かを決定するため、その決定結果によっては阻止部材が第１の形態に変化せず、排出球が流下球の干渉を受けて特定領域を通過不能となる可能性が生まれるので、遊技者は、阻止部材が第１の形態に変化するかどうか、非常にスリルのある遊技を楽しむことができる。
【００３３】
（請求項１１に係る発明の効果）
遊技状態が所定の遊技状態に変化したときに、阻止部材が第１の形態へ変化することを禁止することができる。例えば、後述する発明の実施形態に記載するように、特定領域２の下方に、翼形状の開閉翼片４ａ，４ｂを備えた始動入賞装置４が設けられており、図柄表示装置３２による特別図柄の変動時間が短縮され、普通図柄が当った場合に開閉翼片４ａ，４ｂの開放時間が長い遊技状態に変化した場合は、排出球Ｐ１が特定領域２を通過する確率よりは、流下球Ｐ２が開放された開閉翼片４ａ，４ｂから入賞する確率の方が高くなる。しかし、そのような遊技状態になったときに、排出球Ｐ１が排出口３８から排出される毎に阻止部材１１，１２を第１の形態に変化させると、流下球Ｐ２の開閉翼片４ａ，４ｂからの入賞が阻止されてしまう。そこで、そのような遊技状態になったときは、阻止部材１１，１２が第１の形態に変化しないようにして流下球Ｐ２の入賞を促進する。従って、遊技者が折角獲得した時短による利益が損なわれるおそれがない。
【００３４】
（請求項１２に係る発明の効果）
駆動手段の駆動源としてソレノイドを用いることにより、ソレノイドを構成するプランジャの直線的な動きを利用して阻止部材を直線的に動かすことができる。また、ソレノイドは、オン・オフの単純な制御により駆動できるため、制御内容を簡易なものにすることができる。
【００３５】
（請求項１３に係る発明の効果）
駆動手段の駆動源としてモータを用いることにより、阻止部材を回転させることができる。また、モータは、オン・オフの単純な制御により駆動できるため、制御内容を簡易なものにすることができる。
【００３６】
（請求項１４に係る発明の効果）
阻止部材は、少なくとも排出球の一部が排出口から遊技領域へ露出したときには、第１の形態に変化しているため、排出口から露出した排出球が流下球と干渉することにより、排出球が特定領域を通過不能となるおそれがない。
【００３７】
（請求項１５に係る発明の効果）
阻止部材は、少なくとも排出球の一部が排出口から遊技領域へ露出してから特定領域を通過するまでの間は、第１の形態に変化しているため、排出球が排出口から遊技領域へ露出してから特定領域を通過するまでの間において流下球と衝突することにより、排出球が特定領域を通過不能となるおそれがない。また、阻止部材が第２の形態に変化すると、流下球が流下球流下経路に沿って流下し、特定領域を通過可能な状態になる。
【００３８】
（請求項１６に係る発明の効果）
流下球流下経路が排出球流下経路の両側に形成されている構造の場合において、阻止部材が、各流下球流下経路においてそれぞれ第１の形態に変化するため、排出球流下経路の両側における排出球および流下球の干渉をなくすことができるので、排出球が特定領域を通過する確率を高めることができる。また、阻止部材が第２の形態に変化すると、流下球が各流下球流下経路に沿って流下し、特定領域を通過可能な状態になる。
【００３９】
（請求項１７に係る発明の効果）
流下球流下経路が排出球流下経路の両側に形成されている構造の場合でも、流下球の流下経路が一方の側に偏る傾向がある場合には、その一方の流下球流下経路において阻止部材が第１の形態に変化するように構成することにより、その一方の流下球流下経路における流下球および排出球の干渉を殆どなくすことができるので、排出球が特定領域を通過する確率を高めることができる。
【発明を実施するための最良の形態】
【００４０】
＜第１実施形態＞
この発明の第１実施形態について説明する。
［全体の主要構成］
まず、この実施形態のパチンコ機の主要構成について図１および図２を参照して説明する。図１は、そのパチンコ機の外観を正面から見た説明図である。なお、以下の説明では、パチンコ機で遊技をする遊技者に向く方向を前方とし、その逆方向を後方とする。また、遊技者から見て左右方向を左右方向または横方向とし、縦方向を縦方向または上下方向とする。
図１に示すように、パチンコ機１には、外殻を構成する前枠４０が設けられており、その前枠４０にはガラス枠４１が開閉可能に取付けられている。ガラス枠４１の内側には遊技盤６が設けられており、前枠４０の前面右下方には、遊技盤６へ遊技球を発射する発射装置を操作する発射レバー４２が回動可能に取付けられている。遊技盤６の下方には、払出された賞球や貸球を収容する上受け皿４３が設けられており、上受け皿４３の下方には、上受け皿４３の収容可能数を超えて流下した賞球を収容する下受け皿４５が設けられている。
【００４１】
［遊技盤の主要構成］
次に、遊技盤６の主要構成について図２および図３を参照して説明する。図２は図１に示すパチンコ機に備えられた遊技盤を正面から見た概略説明図である。図３（Ａ）は図２に示す遊技盤に備えられたセンターケースおよび始動入賞装置の正面説明図であり、図３（Ｂ）は図３（Ａ）の縦断面を右側面から見た説明図である。
遊技盤６の盤面上には、発射装置から発射された遊技球を案内する案内レール４９が設けられており、その案内レール４９によって遊技領域６ａの一部が略円形に区画形成されている。遊技領域６ａには、センターケース３０が備えられている。センターケース３０には、ハウジング３１が備えられており、そのハウジング３１には、複数の特別図柄を変動表示（スクロール表示ともいう）する図柄表示装置３２が備えられている。図柄表示装置３２の表示画面には、特別図柄を変動表示する表示領域が複数設定されている。この実施形態では、表示画面の横方向に３つの表示領域が設定されている。図柄表示装置３２は、各表示領域において複数の特別図柄（例えば０〜９の計１０種類の数字を表現した特別図柄）を縦に配列した図柄列をそれぞれ変動表示する。また、図柄表示装置３２は、表示画面の所定の表示領域において複数の普通図柄（例えば○や×などを表現した普通図柄）を変動表示する。
【００４２】
図３（Ａ）に示すように、ハウジング３１の下枠３１ｃには、ハウジング３１の上部に設けられた球取込口３５から取込まれた排出球を排出する排出口３８が開口形成されている。排出口３８は、排出球が２個並んで排出可能な大きさに形成されているが、排出球がようやく１個のみ排出される大きさに形成することもできる。
排出口３８の直下であって、排出口３８から排出された排出球の排出球流下経路には、第１の命釘２ａ，２ｂが横方向に配置されている。第１の命釘２ａ，２ｂ間には、遊技球１個がようやく通過できる間隔の特定領域２が形成されている。第１の命釘２ａ，２ｂの下には、第２の命釘３ａ，３ｂが横方向に配置されている。第２の命釘３ａ，３ｂ間は、第１の命釘２ａ，２ｂ間を通過した遊技球１個がようやく通過できる間隔に設定されている。
第２の命釘３ａ，３ｂの直下であって、第２の命釘３ａ，３ｂ間を通過した遊技球の流下経路には、入賞部材３が設けられている。入賞部材３には、遊技球１個がようやく通過できる始動口が上下方向に貫通形成されている。その始動口の上部開口面は、第２の命釘３ａ，３ｂ間の直下に配置されており、第２の命釘３ａ，３ｂ間を通過した遊技球は必ず始動口に入賞する。なお、第１の命釘２ａ，２ｂおよび第２の命釘３ａ，３ｂの一方だけを設けることもできる。
【００４３】
入賞部材３の直下には、翼形状の開閉翼片４ａ，４ｂを備えた始動入賞装置４が設けられている。始動入賞装置４は、図柄表示装置３２により当りの普通図柄が確定表示されたときに作動し、開閉翼片４ａ，４ｂが開放される。各開閉翼片は、それぞれ基部を回動中心にして外方に回動し、各先端をそれぞれ外側に倒す（図３（Ａ）において破線で示す形態）。開放された各開閉翼片の各先端と入賞部材３との間には、遊技球が入賞可能な始動口がそれぞれ形成される。各開閉翼片の開放により形成された始動口は、入賞部材３に形成された始動口と同じ役割をする。つまり、当りの普通図柄が確定表示されると、始動口の領域が拡大される。
始動入賞装置４は、各開閉翼片が開放してから所定時間経過すると作動停止し、各開閉翼片の各先端は、入賞部材３と近接した開放前の位置に復帰し、各開閉翼片の開放により形成されていた各始動口が閉口する（図３（Ａ）において実線で示す形態）。
始動入賞装置４の直下には、大当りが発生したときに大入賞口５ａを開閉する開閉部材５ｂを有する変動入賞装置５が設けられている。また、遊技盤６には、２つのゲート４６と、４つの入賞口４８と、２つの風車４７と、アウト口６ｂとが設けられており、遊技球の流下経路を規定する多くの遊技釘９が打ち込まれている。
【００４４】
図７（Ａ）は、排出口３８の周囲を拡大して示す部分拡大図であり、図７（Ｂ）は、排出球流下経路および流下球流下経路の説明図である。特定領域２の左方には、複数の遊技釘から構成された道釘９ａが配置されている。道釘９ａは複数の遊技釘を右下がりに配置して構成されており、道釘９ａの右端の道釘９ａは、第１の命釘２ａの左方のやや下方に配置されている。また、図７（Ａ）に示すように特定領域２の右方には、道釘９ａが左下がりに配置されており、左端の道釘９ａは、第１の命釘２ｂの右方のやや下方に配置されている。
各道釘９ａに沿った領域には、流下球流下経路Ｒ２がそれぞれ設定されている。各流下球流下経路Ｒ２は、特定領域２を通過する確率の高い流下経路である。
排出口３８と特定領域２との間には、排出球流下経路Ｒ１が設定されている。排出球流下経路Ｒ１は、流下球流下経路Ｒ２よりも特定領域２を通過する確率が高い流下経路である。排出球流下経路Ｒ１および各流下球流下経路Ｒ２は、途中から共通の流下経路になっている。つまり、排出球Ｐ１は、流下球Ｐ２の流下を阻止する手段を講じないと、共通の流下経路において流下球Ｐ２と干渉し、排出球流下経路Ｒ１から外れ、特定領域２を通過できなくなるおそれがある。
【００４５】
［センターケース３０の主要構造］
図３（Ａ）に示すように、センターケース３０のハウジング３１は、図柄表示装置３２の周囲を取り囲むように枠状に形成されている。また、図３（Ｂ）に示すように、ハウジング３１は、遊技盤６の盤面から前方へ突出して設けられており、ハウジング３１の後方に図柄表示装置３２が配置されている。ハウジング３１の上部を構成する上枠３１ａには、遊技球を取込む（受入れる）ための球取込口３５，３５が開口形成されている。上枠３１ａの下部には、横枠３１ｍが形成されており、その横枠３１ｍの両端からは、縦枠３１ｎがそれぞれ形成されている。各縦枠３１ｎの各内側向きの壁面は相互に対向している。横枠３１ｍおよび縦枠３１ｎ，３１ｎの内部には、球取込口３５から取り込まれた遊技球が流下するためのワープルート３１ｂがそれぞれ形成されている。
各縦枠３１ｎの内側向き壁面の下部には、ワープルート３１ｂを流下した遊技球を排出するための球出口３６がそれぞれ開口形成されている。
【００４６】
ハウジング３１の下部を構成する下枠３１ｃの上面には、各球出口３６から排出された遊技球が転動するためのステージ部が形成されている。この実施形態では、形成位置の高い順に第１ステージ部３１ｄ、第２ステージ部３１ｅ、第３ステージ部３１ｆの計３つのステージ部が階段状に形成されている。ステージ部の数は、１つ、２つ、または４つ以上でもよい。各ステージは、球出口３６から排出された遊技球が転動可能な程度に起伏のある形状に形成されている。各ステージ部の前端には、ステージ上を転動する遊技球の落下を防止するための落下防止壁３１ｐが立ち上がり形成されており、その落下防止壁３１ｐの所定個所には、ステージ上を転動する遊技球を次のステージへ落下させるための落下部３１ｒが開口形成されている。第２ステージ部３１ｅの後方の壁には、第２ステージ部３１ｅを転動する遊技球がハウジング３１の内部へ入るための球入口３７が開口形成されている。この球入口３７は、他のステージに開口形成することもできるし、ステージの平面上に開口形成することもできる。また、複数開口形成することもできる。
【００４７】
下枠３１ｃにおける排出口３８の左側には貫通部３１ｇが、右側には貫通部３１ｈがそれぞれ前後方向に貫通形成されている。貫通部３１ｇは阻止部材１１（図４）を盤面から遊技領域６ａへ進出させ、また、その進出した阻止部材１１を盤面へ退避させるための貫通孔である。貫通部３１ｈは阻止部材１２（図４）を盤面から遊技領域６ａへ進出させ、また、その進出した阻止部材１１を盤面へ退避させるための貫通孔である。貫通部３１ｇ，３１ｈの縦断面形状は、それぞれ阻止部材１１，１２の縦断面形状に対応した形状に形成されている。
【００４８】
［阻止装置の構造］
次に、流下球の流下を阻止する阻止装置の構造について図４ないし図６を参照して説明する。
図４（Ａ）は阻止装置からソレノイドを外した状態の斜視図であり、図４（Ｂ）はソレノイドがオフの状態の説明図であり、図４（Ｃ）はソレノイドがオンの状態の説明図である。図５は排出口３８から始動入賞装置４にかけての部分の縦断面を右側面から見た説明図である。図５（Ａ）は阻止部材が盤面方向へ退避した状態の説明図であり、図５（Ｂ）は阻止部材が遊技領域６ａへ進出した状態の説明図である。図６（Ａ）は図５（Ａ）に対応する斜視図であり、図６（Ｂ）は図５（Ｂ）に対応する斜視図である。
【００４９】
阻止装置１０は、阻止部材１１，１２と、各阻止部材を接続する接続部材１３とから構成される。各阻止部材１１，１２および接続部材１３は、それぞれ横長の板状に形成されており、接続部材１３の左端に阻止部材１１の後端が、接続部材１３の右端に阻止部材１２の後端がそれぞれ接続されている。阻止部材１１，１２および接続部材１３は、一体形成してもよいし、それぞれ個別に形成し、接続してもよい。
阻止部材１２の外側の側面１２ａには、１本のレール１２ｂが前後方向に形成されており、阻止部材１１の外側の側面１１ａにも１本のレール１１ｂが前後方向に形成されている。レール１１ｂ，１２ｂは、それぞれ貫通部３１ｇ，３１ｈに形成されたレール挿通部３１ｓ，３１ｔ（図３（Ａ））へ挿通可能に形成されている。つまり、阻止部材１１，１２は、レール挿通部３１ｓ，３１ｔへ挿通されたレール１１ｂ，１２ｂに沿って盤面から遊技領域６ａへ進出し、また、盤面方向へ退避する。このとき、レール１１ｂ，１２ｂがレール挿通部３１ｓ，３１ｔに挿通されているため、阻止部材１１，１２は、上下左右にぶれることなく、安定かつ滑らかに前後方向に直線状に進退する。
【００５０】
阻止部材駆動ソレノイド２０は、コイル部２１と、このコイル部２１から進退可能に設けられたプランジャ２２と、このプランジャ２２の外周に装着されたコイルスプリング２３とを備える。プランジャ２２の先端には、円板形状のフランジ２４の中心が取付けられている。
接続部材１３の後面には、フランジ２４の上端に係止するためのフランジ係止部１３ａが横方向に形成されており、そのフランジ係止部１３ａの下面には、フランジ２４の上端を嵌め込むことにより、接続部材１３がフランジ２４に係止された状態を作り出すための係止溝１３ｂが、フランジ係止部１３ａに沿って下向きに開口形成されている。
【００５１】
図５（Ａ）および図６（Ａ）に示すように、各阻止部材１１，１２の先端は、阻止部材駆動ソレノイド２０が非通電になっているときは、盤面と面一になっている。各阻止部材１１，１２の先端は、盤面から後方へ退避し、貫通部３１ｇ，３１ｈの内部に位置していてもよいし、流下球Ｐ２の流下の障害とならなければ、盤面から遊技領域６ａへ突出していてもよい。
図５に示すように、阻止部材駆動ソレノイド２０は、プランジャ２２が前後方向に進退するように遊技盤６の裏面に取付けられている。各阻止部材１１，１２の退避位置から進出位置までの長さは、プランジャ２２のストローク長に等しい。
図５（Ｂ）、図６（Ｂ）および図７（Ｂ）に示すように、遊技領域６ａへ進出した左側の阻止部材１１は、特定領域２の左方に設定された流下球流下経路Ｒ２を遮断する位置に存在する。このため、特定領域２の左方の流下球流下経路Ｒ２を流下してきた流下球Ｐ２は、阻止部材１１の外側の側面１１ａに衝突するため、左方の流下球流下経路Ｒ２から排出球流下経路Ｒ１を経由して特定領域２を通過しない。
また、遊技領域６ａへ進出した右側の阻止部材１２は、特定領域２の右方に設定された流下球流下経路Ｒ２を遮断する位置に存在する。このため、特定領域２の右方の流下球流下経路Ｒ２を流下してきた流下球Ｐ２は、阻止部材１２の外側の側面１２ａに衝突するため、右方の流下球流下経路Ｒ２から排出球流下経路Ｒ１を経由して特定領域２を通過しない。
【００５２】
なお、阻止部材１１，１２の進出位置は、図示の位置に限定されるものではなく、流下球Ｐ２が特定領域２を通過するのを阻止できれば、流下球流下経路Ｒ２の中のどの領域でもよい。また、阻止部材１１，１２の形状は、流下球Ｐ２が特定領域２を通過するのを阻止できれば、どのような形状でもよく、棒状、角柱状などでもよい。さらに、接続部材１３の形状も板状以外の形状でもよく、棒状、角柱状など、阻止部材の形状に対応させて形成することもできる。
【００５３】
図７（Ｂ）に示すように、特定領域２の左方の流下球流下経路Ｒ２を遮断する位置に進出した左側の阻止部材１１と、左側の第１の命釘２ａとの間に形成される間隙のうち、最小の間隙の距離Ｌ１は、排出口３８から排出された排出球Ｐ１が通過可能な長さに設定されている。つまり、排出口３８から排出された排出球Ｐ１は、特定領域２を通過する可能性と、特定領域２を通過しないで、左側の阻止部材１１と左側の第１の命釘２ａとの間を通過する可能性とを有する。
また、特定領域２の右方の流下球流下経路Ｒ２を遮断する位置に進出した右側の阻止部材１２と、右側の第１の命釘２ｂとの間に形成される間隙のうち、最小の間隙の距離Ｌ１（図７（Ａ））も、排出口３８から排出された排出球Ｐ１が通過可能な長さに設定されている。つまり、排出口３８から排出された排出球Ｐ１は、特定領域２を通過する可能性と、特定領域２を通過しないで、右側の阻止部材１２と右側の第１の命釘２ｂとの間を通過する可能性とを有する。
【００５４】
図５に示すように、ハウジング３１の内部には、球入口３７から取込まれた排出球Ｐ１が下方へ流下するための縦流下経路３１ｉと、この縦流下経路３１ｉを流下した排出球Ｐ１が排出口３８へ流下するための横流下経路３１ｊとが形成されている。縦流下経路３１ｉの途中には、縦流下経路３１ｉを流下する排出球Ｐ１を検出する排出球検出スイッチ７が設けられている。排出球検出スイッチ７から出力される検出信号は、阻止部材駆動ソレノイド２０を駆動するタイミングを測定する基準となる。排出球Ｐ１が排出球検出スイッチ７により検出されてから、排出球Ｐ１の一部が排出口３８から遊技領域６ａへ露出するまでに要する時間（以下、排出時間という）は、予め実験によって測定されており、排出球検出スイッチ７から検出信号が出力されてから排出球排出時間が経過したときに阻止部材駆動ソレノイド２０がオンし、阻止部材１１，１２が遊技領域６ａへ進出する。
また、排出球Ｐ１が排出球検出スイッチ７により検出されてから、排出球Ｐ１の中心が特定領域２を通過するまでに要する時間（以下、流下時間という）は、予め実験によって測定されており、排出球検出スイッチ７から検出信号が出力されてから排出球流下時間が経過したときに阻止部材駆動ソレノイド２０がＯＦＦとなり、阻止部材１１，１２が盤面方向へ退避する。
【００５５】
排出球検出スイッチ７としては、変流器、光センサ、磁気センサなどが用いられる。なお、排出球検出スイッチ７の設置箇所は、図示の位置に限定されるものではなく、排出球Ｐ１を検出できる位置であればどこでもよい。また、排出球Ｐ１の流下経路の構成は、図示の構成に限定されるものではなく、排出口３８へ導くことができれば、どのような構成でもよい。さらに、排出球Ｐ１が排出球検出スイッチ７により検出されたと同時に阻止部材駆動ソレノイド２０をオンしてもよい。
さらに、阻止部材駆動ソレノイド２０を２個設け、阻止部材１１，１２を個別のソレノイドで進退させることもできる。さらに、阻止部材１１，１２の一方だけを設けることもできる。例えば、流下球Ｐ２が特定領域２の左方を流下する傾向が強い場合は、特定領域２の左方の流下球流下経路Ｒ２を遮断可能な阻止部材だけを設けてもよい。
さらに、ソレノイドに代えて、モータと、このモータの回転を阻止部材の進退運動に変換する変換機構とを設け、その変換機構と阻止部材とを連結した構成でもよい。
【００５６】
図５に示すように、始動入賞装置４の後方には、始動入賞装置４に入賞した排出球Ｐ１または流下球Ｐ２が遊技盤６の裏面側へ流下するための流下経路３１ｋが形成されており、その流下経路３１ｋの出口には、始動入賞装置４に入賞した排出球Ｐ１または流下球Ｐ２を検出する始動口スイッチ２ｃが設けられている。また、始動入賞装置４の後方であって遊技盤６の裏面には、始動入賞装置４の開閉翼片４ａ，４ｂを開閉駆動するための始動入賞装置ソレノイド８が取付けられている。
【００５７】
［パチンコ機１の電気的構成］
次に、パチンコ機１の電気的構成について、それをブロックで示す図８を参照して説明する。
パチンコ機１には、主制御基板１００が設けられており、その主制御基板１００には、マイクロプロセッサ１１０が搭載されている。マイクロプロセッサ１１０は、メインＣＰＵ１１２と、ＲＯＭ１１４と、ＲＡＭ１１６とを備える。メインＣＰＵ１１２は、始動口スイッチ（ＳＷ）２ｃがＯＮしたか否かの判定、大当りかハズレかの抽選、特別図柄の変動パターンの抽選、普通図柄の当りかハズレかの抽選、大入賞口ソレノイド（ＳＬ）５ｅの制御、阻止部材駆動ソレノイド（ＳＬ）２０の制御、入賞の検出、入賞数の計数などを実行する。
【００５８】
ＲＯＭ１１４には、メインＣＰＵ１１２が各種制御、判定および検出などを実行するための各種制御プログラム、制御プログラム実行時に参照する各種テーブルなどが記憶されている。ＲＡＭ１１６は、ＲＯＭ１１４から読出された制御プログラムなどを一時的に格納する記憶領域、電源遮断時に停電直前の遊技状態を示すデータなどをバックアップして記憶するバックアップ領域などを備える。
主制御基板１００には、次に記載するものが電気的に接続されている。始動口スイッチ（ＳＷ）２ｃ、図柄表示装置３２を制御する図柄制御基板３０ａ、遊技中にスピーカ（図示せず）から出力される効果音などを制御する音声制御基板４００、ＬＥＤやランプ類などの発光部材の点灯・点滅を制御するランプ制御基板３００、電源基板９７、賞球および貸球の払出しなどを制御する払出制御基板２００、大当りの発生や賞球払出数などに関する遊技盤情報をパチンコホールの管理室などに設けられたホールコンピュータへ送信するための遊技枠情報端子基板９２、盤面中継基板９１、遊技枠中継基板９３である。
【００５９】
払出制御基板２００には、電源基板９７、発射モータ４２ｃを駆動するための発射モータ駆動基板４２ａ、遊技枠情報端子基板９２および払出中継基板９５が電気的に接続されている。発射モータ駆動基板４２ａには、発射モータ４２ｃ、発射モータ駆動基板４２ａから発射モータ４２ｃへ駆動信号を出力させるための発射スイッチ（ＳＷ）４２ｂが電気的に接続されている。
遊技枠中継基板９３には、下受け皿４５が遊技球で満杯になったことを検出する下皿満杯検出スイッチ（ＳＷ）９８、球切れを検出する球切れ検出スイッチ（ＳＷ）９９およびセンサ中継基板９４が電気的に接続されている。センサ中継基板９４は、払出装置５００に備えられた払出球を検出する前部払出センサ５０１、後部払出センサ５０２および払出中継基板９５と電気的に接続されている。払出中継基板９５には、遊技球の払出しを行う部材を駆動する払出モータ５０３が電気的に接続されている。
【００６０】
盤面中継基板９１には、左右のゲート４６，４６を通過した遊技球を検出するゲートスイッチ（ＳＷ）４６ａ，４６ｂ、、大入賞口５ａに入賞した遊技球を検出する大入賞口スイッチ（ＳＷ）５ｆ、４つの入賞口４８に入賞した遊技球を検出する入賞口スイッチ（ＳＷ）４８ａ〜４８ｄ、排出球検出スイッチ（ＳＷ）７、阻止部材駆動ソレノイド２０および大入賞口中継基板９０が電気的に接続されている。
大入賞口中継基板９０には、大入賞口５ａ内の特別領域（図示せず）を通過した遊技球を検出する特別領域スイッチ（ＳＷ）５ｃと、遊技球を大入賞口５ａ内の特別領域へ案内する状態と案内しない状態とに変化する部材を動作させる特別領域ソレノイド（ＳＬ）５ｄと、大入賞口開閉部材５ｂを開閉動作させる大入賞口ソレノイド（ＳＬ）５ｅとが電気的に接続されている。電源基板９７は、ＡＣ２４Ｖ（５０Ｈｚ／６０Ｈｚ）の主電源９６から電源の供給を受け、各基板および装置へ動作電源を供給する。図示しないが、電源基板９７には、パチンコ機１の電源のＯＮ・ＯＦＦを行う電源スイッチ（ＳＷ）と、ＲＡＭ１１６のバックアップ領域に記憶されているデータをクリアするためのＲＡＭクリアスイッチとが設けられている。
【００６１】
［主な遊技内容］
次に、主な遊技内容について説明する。
図９は、メインＣＰＵ１１２が阻止部材駆動ソレノイド２０に対して実行する阻止部材制御の流れを示すフローチャートである。なお、排出時間をＴ１とし、流下時間をＴ２とする。また、メインＣＰＵ１１２が実行するステップをＳと略す。
発射レバー４２（図１）を操作すると、上受け皿４３に収容されていた遊技球が案内レール４９に沿って遊技領域６ａへ案内される。そして、遊技領域６ａを流下する遊技球がセンターケース３０の球取込口３５（図３）からハウジング３１の内部に取込まれると、その遊技球は、横枠３１ｍおよび縦枠３１ｎ内部のワープルート３１ｂを流下して縦枠３１ｎの球出口３６から第１ステージ部３１ｄ上へ排出され、第１ステージ部３１ｄ上を転動し、落下部３１ｒから第２ステージ部３１ｅ上へ落下し、第２ステージ部３１ｅ上を転動し、球入口３７から再びハウジング３１の内部へ入る（図３）。
そして、ハウジング３１の内部へ入った排出球Ｐ１は、縦流下経路３１ｉを流下し、排出球検出スイッチ７により検出される。このとき、排出球検出スイッチ７から検出信号がメインＣＰＵ１１２へ出力される。
【００６２】
メインＣＰＵ１１２は、阻止部材駆動ソレノイド２０がオンしたか否かを判定しており（Ｓ１）、オンしていないと判定すると（Ｓ１：Ｎｏ）、排出球検出スイッチ７がオンしたか否かを判定する（Ｓ２）。ここで、上記のように排出球検出スイッチ７から検出信号がメインＣＰＵ１１２へ出力されると、排出球検出スイッチ７がオンしたと判定し（Ｓ２：Ｙｅｓ）、排出時間および流下時間を計測するタイマの計測時間Ｔを０にリセットし（Ｓ３）、タイマをスタートさせる（Ｓ４）。
続いて、タイマの計測時間Ｔが排出時間Ｔ１になったか否かを判定し（Ｓ５）、Ｔ１になったと判定すると（Ｓ５：Ｙｅｓ）、阻止部材駆動ソレノイド２０をオン（通電）する（Ｓ６）。これにより、排出球Ｐ１の一部が排出口３８から露出したタイミングで阻止部材１１，１２が遊技領域６ａへ進出し、特定領域２の左右の流下球流下経路Ｒ２をそれぞれ遮断する。これにより、排出口３８から排出された排出球Ｐ１と、流下球Ｐ２とが干渉する事態が発生しないため、排出球Ｐ１が特定領域２を通過する可能性が高まる。
【００６３】
続いてメインＣＰＵ１１２は、タイマの計測時間Ｔが流下時間Ｔ２になったか否かを判定し（Ｓ７）、Ｔ２になったと判定すると（Ｓ７：Ｙｅｓ）、阻止部材駆動ソレノイド２０をＯＦＦ（通電停止）し（Ｓ８）、次の処理へ移行する。これにより、遊技領域６ａに進出していた阻止部材１１，１２は、進出前の盤面方向へ退避し、流下球Ｐ２が特定領域２を通過可能となる。
以降、メインＣＰＵ１１２は、阻止部材制御を実行するタイミングになったときに、排出球検出スイッチ７がオンしたと判定する毎に上記Ｓ３〜Ｓ８を実行し、阻止部材１１，１２を進退させ、排出球Ｐ１と流下球Ｐ２との干渉を防止し、排出球Ｐ１の特定領域２に対する通過の確率を高める
【００６４】
［第１実施形態の効果］
（１）以上のように、上述の第１実施形態のパチンコ機１を使用すれば、排出球Ｐ１が排出球流下経路Ｒ１を流下している期間は、阻止部材１１，１２の各先端部が、流下球流下経路Ｒ２を遮断する領域に存在するため、排出球Ｐ１が排出球流下経路Ｒ１を流下している期間は、流下球Ｐ２が上記領域を通過して特定領域２を通過することを阻止することができる。
従って、排出口３８から排出された排出球Ｐ１が、特定領域２を通過する確率を高めることができるパチンコ機を実現することができる。
また、排出球Ｐ１が特定領域２を通過した後は、阻止部材１１，１２の各先端部は、上記領域から盤面方向へ退避するため、流下球Ｐ２が特定領域２を通過可能な状態になる。
【００６５】
（２）阻止部材１１，１２の各先端部は、流下球Ｐ２の流下を阻止する必要のないときは、盤面方向へ退避するため、阻止部材１１，１２の各先端部を収容しておく箇所を盤面上に設ける必要がない。
従って、阻止部材１１，１２の各先端部を収容しておく箇所を盤面上に設けることにより、遊技球の流下の障害となることもない。
また、阻止部材１１，１２の各先端部が遊技領域６ａへ進出するとき、その各先端部が、突然、盤面の方向から遊技領域６ａへ進出するという動きを見せることができるため、遊技者の関心を引くことができる。
さらに、阻止部材１１，１２の各先端部は、盤面から進出し、また盤面方向へ退避するという大きな動作をするため、阻止部材１１，１２が、流下球Ｐ２を阻止する状態にあるのか否か一目瞭然である。
【００６６】
（３）阻止部材１１，１２の各先端部を直線的に動かすため、阻止部材を動かすための構造を比較的簡易にすることができる。
（４）阻止部材１１，１２は、少なくとも排出球Ｐ１の一部が排出口３８から遊技領域６ａへ露出したときには、流下球流下経路Ｒ２を遮断する領域に存在するため、排出口３８から露出した排出球Ｐ１が流下球Ｐ２と干渉することにより、排出球Ｐ１が特定領域２を通過不能となるおそれがない。
【００６７】
（５）阻止部材１１，１２は、少なくとも排出球Ｐ１の一部が排出口３８から遊技領域６ａへ露出してから特定領域２を通過するまでの間は、流下球流下経路Ｒ２を遮断する領域に存在するため、排出球Ｐ１が排出口３８から遊技領域６ａへ露出してから特定領域２を通過するまでの間において流下球Ｐ２と衝突することにより、排出球Ｐ１が特定領域２を通過不能となるおそれがない。
（６）排出球流下経路Ｒ１の左側に形成された流下球流下経路Ｒ２は、左側の阻止部材１１が遮断し、排出球流下経路Ｒ１の右側に形成された流下球流下経路Ｒ２は、右側の阻止部材１２が遮断するため、排出球流下経路Ｒ１の両側における排出球Ｐ１および流下球Ｐ２の干渉をなくすことができるので、排出球Ｐ１が特定領域２を通過する確率をより一層高めることができる。
【００６８】
（７）メインＣＰＵ１１２は、排出球検出スイッチ７により排出球Ｐ１が検出されたタイミングに基づいて、阻止部材１１，１２が進退するように阻止部材１１，１２を駆動するため、排出球Ｐ１が排出口３８から排出される最適のタイミングで阻止部材１１，１２を流下球流下経路Ｒ２へ進出させることができる。
従って、流下球Ｐ２および排出球Ｐ１の干渉を確実になくすことができる。また、排出口３８へ向けて流下する排出球Ｐ１が存在しないときに阻止部材１１，１２が流下球流下経路Ｒ２へ進出してしまったり、阻止部材１１，１２が進出するタイミングが早いことにより、流下球Ｐ２が特定領域２を通過する機会が減少するおそれもない。
【００６９】
（８）排出球Ｐ１の一部が排出口３８から露出する丁度のタイミングで阻止部材１１，１２を流下球流下経路Ｒ２へ進出させることができるため、流下球Ｐ２および排出球Ｐ１の干渉の阻止を時間の損失もなく確実に行うことができる。
（９）排出球Ｐ１が特定領域２を通過した丁度のタイミングで阻止部材１１，１２を盤面方向へ退避させることができる。つまり、排出球Ｐ１が特定領域２を通過するまでは阻止部材１１，１２を流下球流下経路Ｒ２を遮断する形態に変化させておくことができるため、排出球Ｐ１の一部が排出口３８から露出してから排出球Ｐ１が特定領域２を通過するまでの期間は、流下球Ｐ２および排出球Ｐ１の干渉を確実になくすことができるので、排出球Ｐ１が特定領域２を通過する確率をより一層高めることができる。
また、排出球Ｐ１が特定領域２を通過した以降も阻止部材１１，１２が流下球流下経路Ｒ２を遮断する形態に変化していることにより、流下球Ｐ２の特定領域通過の機会が減少するおそれもない。
【００７０】
（１０）阻止部材１１，１２を駆動する駆動源として阻止部材駆動ソレノイド２０を用いることにより、阻止部材駆動ソレノイド２０を構成するプランジャ２２の直線的な動きを利用して阻止部材１１，１２を直線的に動かすことができる。また、阻止部材駆動ソレノイド２０は、オン・オフの単純な制御により駆動できるため、メインＣＰＵ１１２の制御内容を簡易なものにすることができる。
【００７１】
＜第２実施形態＞
次に、この発明の第２実施形態について図１０ないし図１３を参照して説明する。
この実施形態のパチンコ機は、ソレノイドやモータなどの駆動源を使用しないで阻止部材を駆動できることを特徴とする。図１０（Ａ）はセンターケースおよび始動入賞装置の正面説明図であり、図１０（Ｂ）は図１０（Ａ）の縦断面を右側面から見た説明図である。図１１（Ａ）は前方へ回動する前の阻止装置を示す斜視図であり、図１１（Ｂ）は前方へ回動した後の阻止装置の斜視図である。図１２は排出口３８から始動入賞装置４にかけての部分の縦断面を右側面から見た説明図である。図１２（Ａ）は阻止部材が盤面方向へ退避した状態の説明図であり、図１２（Ｂ）は阻止部材が流下球流下経路へ進出した状態の説明図である。図１３（Ａ）は図１２（Ａ）に対応する斜視図であり、図１３（Ｂ）は図１２（Ｂ）に対応する斜視図である。
なお、第１実施形態のパチンコ機１と同じ部分の説明を簡略化または省略し、同じ構成については同じ符号を用いる。
【００７２】
［阻止装置の構成］
図１１に示すように、阻止装置５０は、横方向に所定間隔を置いて配置された阻止部材５１，５２を備える。向かって左側の阻止部材５１には、前後方向に延びた棒状の腕部５１ｂが備えられており、その腕部５１ｂの先端には、人の右手を模した形状の阻止部５１ａが備えられている。向かって右側の阻止部材５２には、前後方向に延びた棒状の腕部５２ｂが備えられており、その腕部５２ｂの先端には、人の左手を模した形状の阻止部５２ａが備えられている。阻止部５１ａは、排出球流下経路Ｒ１の左側の流下球流下経路Ｒ２を遮断する役割をし、阻止部５２ａは、排出球流下経路Ｒ１の右側の流下球流下経路Ｒ２を遮断する役割をする。
なお、腕部５１ｂ，５２ｂは、棒状以外の板状でもよく、形状は限定されない。また、阻止部５１ａ，５２ａは、人の手を模した形状以外に、板状、球状でもよく、形状は限定されない。さらに、阻止部５１ａ，５２ａを腕部５１ｂ，５２ｂと区別する形状にしないで、腕部５１ｂ，５２ｂの先端部をそれぞれ阻止部５１ａ，５２ａに設定することもできる。
【００７３】
腕部５１ｂ，５２ｂ間には、排出口３８に向けて流下する排出球Ｐ１を受け止めて前方へ転動させるための球受部材５４が配置されている。図１１（Ｂ）に示すように、阻止部材５１，５２が前方へ回動した状態において、球受部材５４の上面には、排出球Ｐ１を受け止めて前方へ転動させる受止め面５４ｂが平面状に形成されており、その受止め面５４ｂの前端からは、受止め面５４ｂに受止められた排出球Ｐ１を排出口３８に向けて転動させる平面状の下り傾斜部５４ａが下り勾配に形成されている。受止め面５４ｂの後方には、段部５４ｃが一段下がって形成されている。
なお、受止め面５４ｂは、排出口３８に向けて流下する排出球Ｐ１を受け止めて転動させることができれば、平面状に限定されるものではなく、例えば段部や凹凸などが形成されていてもよい。また、下り傾斜部５４ａは、受止め面５４ｂ上を前方へ転動してきた排出球Ｐ１を排出口３８に向けて転動させることができれば、平面状に限定されるものではなく、例えば段部や凹凸などが形成されていてもよい。
【００７４】
腕部５１ｂ，５２ｂおよび球受部材５４の各側面間には、棒状の回動軸部材５３が横方向に挿通固定されており、腕部５１ｂ，５２ｂから外方へ突出した回動軸部材５３の両端は、遊技盤６の内部の所定個所に前後方向に回動可能に軸支されている（図１２）。
腕部５１ｂ，５２ｂおよび球受部材５４の各後端は、円柱形状の錘５５の周面に取付けられている。
図１２（Ａ）に示すように、排出球Ｐ１が受止め面５４ｂに衝突する前の通常の状態では、受止め面５４ｂは横流下経路３１ｊ内に突出している。受止め面５４ｂは、後方へ下り勾配になっている。つまり、受止め面５４ｂは、横流下経路３１ｊを流下してきた排出球Ｐ１に対しては上り勾配になっている。また、図１２（Ｂ）に示すように、遊技盤６には、回動軸部材５３の近傍から遊技盤６の裏面にかけて下り勾配の斜面に形成された回動阻止部６ｃが設けられている。図１２（Ａ）に示すように、阻止装置５０は、排出球Ｐ１が受止め面５４ｂに衝突する前の通常の状態では、段部５４ｃの裏面が回動阻止部６ｃ上に当接している。これにより、阻止装置５０の後方への過回動が規制され、受止め面５４ｂが横流下経路３１ｊに突出した状態が維持される。
【００７５】
ハウジング３１のうち遊技盤６の裏面下部へ露出した部分であって、阻止装置５０の段部５４ｃの回動範囲には、回動阻止部３１ｕが設けられている。回動阻止部３１ｕは、阻止装置５０の段部５４ｃに嵌り込む形状に形成されており、図１２（Ｂ）に示すように、前方へ回動した阻止装置５０の段部５４ｃに回動阻止部３１ｕが嵌り込み、回動阻止部３１ｕの底面に段部５４ｃの上面が当接することにより、阻止装置５０の前方への過回動が規制され、受止め面５４ｂの水平姿勢が維持される。回動阻止部３１ｕの底面と反対側の面であって、横流下経路３１ｊの底面３１ｖは、水平姿勢になった受止め面５４ｂと同じ水平面になるように形成されている。これにより、底面３１ｖを流下してきた排出球Ｐ１が流下の勢いを弱めることなく、滑らかに受止め面５４ｂへ移動することができる。
また、図１２（Ａ）に示すように、排出口３８の内部底面には、回動阻止部６ｄが形成されている。回動阻止部６ｄは、阻止装置５０の球受部材５４の先端部の底面形状と対応する形状に形成されており、図１２（Ｂ）に示すように、前方へ回動した阻止装置５０の球受部材５４の先端部の底面が回動阻止部６ｄに当接することにより、阻止装置５０の前方への過回動が規制され、受止め面５４ｂの水平姿勢が維持される。
【００７６】
錘５５は、排出口３８に向けて流下してきた排出球Ｐ１が受止め面５４ｂに衝突したときに、その衝突エネルギーによって阻止装置５０が前方へ回動する重量に設定されている。さらに、錘５５は、図１１（Ｂ）、図１２（Ｂ）および図１３（Ｂ）に示すように、排出球Ｐ１が受止め面５４ｂ上を前方に向けて転動し、さらに下り傾斜部５４ａを排出口３８に向けて転動している間は、阻止装置５０が前方に回動し、阻止部５１ａ，５２ａが遊技領域６ａへ進出した状態を維持することができる重量に設定されている。さらに、錘５５は、排出球Ｐ１が下り傾斜部５４ａから遊技領域６ａへ離脱したときに、阻止装置５０が後方へ回動し、阻止部５１ａ，５２ａが遊技領域６ａから盤面方向へ退避し、回動前の形態に復帰できる重量に設定されている。
なお、錘５５は、前方へ回動した阻止装置５０を回動前の姿勢に復帰させることができれば、形状は円柱形状に限定されるものではなく、球状、四角柱状などでもよく、球受部材５４の後端にのみ、あるいは腕部５１ｂ，５２ｂにのみに取付けてもよい。また、腕部５１ｂ，５２ｂおよび球受部材５４の少なくとも一方の後端を膨出形成し、その部分を錘とすることもできる。さらに、腕部５１ｂ，５２ｂおよび球受部材５４の少なくとも一方の後端に金属製などの錘を内蔵してもよい。
【００７７】
図１０（Ａ）および図１３（Ａ）に示すように、ハウジング３１であって排出口３８の両側には、阻止装置５０の阻止部５１ａ，５２ａが回動して遊技領域６ａへ進出し、また、回動して盤面方向へ退避するための貫通部３１ｇ，３１ｈが前後方向に貫通形成されている。なお、阻止部５１ａ，５２ａが回動して遊技領域６ａへ進出し、また、回動して盤面方向へ退避することができれば、必ずしも遊技盤６を前後方向に完全に貫通した孔ではなく、盤面から遊技盤内部に切り込まれた凹部でもよい。
【００７８】
［阻止装置の動作］
球入口３７からハウジング３１の内部に取込まれた排出球Ｐ１は、縦流下経路３１ｉ、横流下経路３１ｊを流下し、その横流下経路３１ｊの内部に突出している受止め面５４ｂに衝突する（図１２（Ａ））。すると、その衝突による衝突エネルギーにより、阻止部材５１，５２は、回動軸部材５３を回動中心にして前方へ回動し、阻止部５１ａ，５２ａが円弧の軌跡を描きながら貫通部３１ｇ，３１ｈを介して遊技領域６ａへ進出し、排出口３８の両側の流下球流下経路Ｒ２をそれぞれ遮断する姿勢に変化する（図１２（Ｂ）、図１３（Ｂ））。なお、阻止部５１ａ，５２ａが描く軌跡は円弧であるが、小さい軌跡であるため、遊技者には、阻止部５１ａ，５２ａが遊技領域６ａを上から下へ動くように見える。
また、回動阻止部３１ｕの底面に段部５４ｃの上面が当接するとともに、回動阻止部６ｄの上面に球受部材５４の先端部の底面が当接し、受止め面５４ｂが水平姿勢に維持される。そして、排出球Ｐ１が受止め面５４ｂ上を排出口３８に向けて転動し、続けて下り傾斜部５４ａを転動し、その転動途中で排出口３８から一部が露出する。
このとき既に、排出口３８の両側の流下球流下経路Ｒ２は、阻止部５１ａ，５２ａによって遮断されているため、流下球流下経路Ｒ２に沿って流下してくる流下球Ｐ２が排出球流下経路Ｒ１に侵入し、排出口３８から一部を露出させた排出球Ｐ１と干渉するおそれがない。
【００７９】
そして、排出口３８から一部を露出させた排出球Ｐ１は、その露出量を増加させながら、下り傾斜部５４ａの下端に向けて転動を続け、下り傾斜部５４ａを離脱して特定領域２に向けて流下する。排出球Ｐ１が下り傾斜部５４ａを離脱するまでは、阻止部５１ａ，５２ａは、流下球流下経路Ｒ２を遮断する領域に存在しているため、流下球Ｐ２が排出球流下経路Ｒ１に侵入し、下り傾斜部５４ａを転動している排出球Ｐ１と干渉するおそれがなく、排出球Ｐ１が特定領域２を通過する確率が高くなる。
また、排出球Ｐ１が下り傾斜部から離脱すると、阻止装置５０は錘５５の自重により、後方へ回動を開始し、それと同時に阻止部５１ａ，５２ａも貫通部３１ｇ，３１ｈの内部に円弧の軌跡を描きながら戻るが、阻止部５１ａ，５２ａが流下球流下経路Ｒ２を遮断する領域から貫通部３１ｇ，３１ｈの内部に戻るまでの期間は、阻止部５１ａ，５２ａが流下球Ｐ２の排出球流下経路Ｒ１への侵入を阻止できる。このため、排出球Ｐ１は、下り傾斜部５４ａを離脱した直後も上記期間は、流下球Ｐ２と干渉するおそれがなく、特定領域２を通過する確率がより一層高くなる。なお、阻止部５１ａ，５２ａが描く軌跡は円弧であるが、小さい軌跡であるため、遊技者には、阻止部５１ａ，５２ａが遊技領域６ａを下から上へ動くように見える。
そして、排出球Ｐ１は、高い確率で特定領域２を通過する。また、排出球Ｐ１は、第１の命釘２ａ，２ｂによって弾かれ、特定領域２を通過しないで、左側の道釘９ａの右端の道釘９ａと左側の第１の命釘２ａとの間隙、または、右側の道釘９ａの左端の道釘９ａと右側の第１の命釘２ｂとの間隙を通過する。また、阻止部５１ａ，５２ａが貫通部３１ｇ，３１ｈの内部に戻ることにより、流下球Ｐ２が特定領域２を通過可能となる。
【００８０】
［第２実施形態の効果］
（１）以上のように、上記第２実施形態のパチンコ機１を使用すれば、阻止部５１ａ，５２ａを、貫通部３１ｇ，３１ｈと、流下球流下経路Ｒ２を遮断する領域との間で回動させることにより、流下球Ｐ２の特定領域２への流下を阻止したり、あるいは許容したりすることができるため、阻止部５１ａ，５２ａを動かすための構造を比較的簡易にすることができる。また、阻止部５１ａ，５２ａが描く軌跡は円弧であるが、小さい軌跡であるため、遊技者には、阻止部５１ａ，５２ａが遊技領域６ａを上下に動くように見える。
【００８１】
（２）阻止部５１ａ，５２ａが貫通部３１ｇ，３１ｈから、流下球流下経路Ｒ２を遮断する領域へ進出したり、貫通部３１ｇ，３１ｈの内部へ退避したりするのは、排出球Ｐ１が受止め面５４ｂに衝突することが前提であるため、排出球Ｐ１が排出口３８から排出されるときは必ず阻止部５１ａ，５２ａを流下球流下経路Ｒ２を遮断する領域へ進出させることができる。
従って、流下球Ｐ２および排出球Ｐ１の干渉を確実になくし、排出球Ｐ１を確実に特定領域２を通過させることができる。
また、阻止部５１ａ，５２ａを動かすためのモータやソレノイドなどの電気的な駆動源が不要であるので、それらの駆動源を使用する場合よりも、阻止部５１ａ，５２ａを動かすための構造の耐久性を高めることができ、かつ、故障率を低下させることができる。さらに、電気的な駆動源を使用する場合よりもパチンコ機１の製造費を低減することもできる。
【００８２】
（３）排出球Ｐ１が球受部材５４の受止め面５４ｂを転動すると、阻止部材５１，５２は回動軸部材５３を中心にして前方へ回動し、阻止部５１ａ，５２ａが貫通部３１ｇ，３１ｈから、流下球流下経路Ｒ２を遮断する領域へ進出し、受止め面５４ｂを転動している排出球Ｐ１が排出口３８へ排出されると、阻止部５１ａ，５２ａは、錘５５の自重により、貫通部３１ｇ，３１ｈの内部へ退避することができる。つまり、流下する排出球Ｐ１が持つエネルギーを利用した簡易な構成により、流下球Ｐ２および排出球Ｐ１の干渉をなくし、排出球Ｐ１が特定領域２を通過する確率を高めることができる。
【００８３】
＜第３実施形態＞
次に、この発明の第３実施形態について図１４ないし図１７を参照して説明する。
この実施形態のパチンコ機は、モータにより阻止部材を回転させて流下球流下経路へ進出させることを特徴とする。図１４（Ａ）はセンターケースおよび始動入賞装置の正面説明図であり、図１４（Ｂ）は図１４（Ａ）の縦断面を右側面から見た説明図である。図１５（Ａ）は阻止部材が流下球流下経路へ進出する前の阻止装置を示す斜視図であり、図１５（Ｂ）は阻止部材が流下球流下経路へ進出した状態の阻止装置の斜視図である。図１６は排出口３８から始動入賞装置４にかけての部分の縦断面を右側面から見た説明図である。図１６（Ａ）は阻止部材が盤面方向へ退避した状態の説明図であり、図１６（Ｂ）は阻止部材が流下球流下経路へ進出した状態の説明図である。図１７（Ａ）は図１６（Ａ）に対応する斜視図であり、図１７（Ｂ）は図１６（Ｂ）に対応する斜視図である。
なお、第１実施形態のパチンコ機１と同じ部分の説明を簡略化または省略し、同じ構成については同じ符号を用いる。
【００８４】
［阻止装置の構成］
図１４（Ａ）において破線で示すように、遊技盤６の裏面であって特定領域２の両側に対応する箇所に、阻止装置６０がそれぞれ配置されている。図１５に示すように、阻止装置６０は、阻止部材駆動モータ６１を備えており、この阻止部材駆動モータ６１の回転シャフト６１ａは、歯車６２の回転中心に挿通固定されている。歯車６２には、伝達歯車６３が噛み合っており、伝達歯車６３の回転軸部材６３ａは、遊技盤６の所定個所に回転可能に軸支されている。伝達歯車６３には、阻止部材６４が噛み合っており、阻止部材６４の回転軸部材６４ａは、遊技盤６またはハウジング３１の所定個所に回転可能に軸支されている。阻止部材６４は、円板形状の歯車を半分に分割した形状に形成されており、円弧状の外周は歯が形成された歯車部６４ｂとなっており、直線状の部分は歯が形成されていない平滑部６４ｃとなっている。
図１４（Ａ）および図１７（Ａ）に示すように、ハウジング３１であって排出口３８の両側には、各阻止装置６０の阻止部材６４，６４が回動して遊技領域６ａへ進出し、また、回動して盤面方向へ退避するための貫通部３１ｇ，３１ｈが前後方向に貫通形成されている。
【００８５】
図１６に示すように、ハウジング３１内部の縦流下経路３１ｉの途中には、縦流下経路３１ｉを流下する排出球Ｐ１を検出する排出球検出スイッチ７が設けられている。排出球検出スイッチ７から出力される検出信号は、阻止部材駆動モータ６１を駆動するタイミングを測定する基準となる。排出球検出スイッチ７から検出信号が出力されてから排出球排出時間が経過したときに阻止部材駆動モータ６１が回転を開始する。阻止部材駆動モータ６１の回転は、伝達歯車６３を介して阻止部材６４に伝達される。右側面から見ると、各阻止部材６４は時計回りに回転するため、歯車部６４ｂは、貫通部３１ｇ，３１ｈの内部の下方から出現し、１／３回転したところで阻止部材駆動モータ６１の回転が停止する。このとき、図１６（Ｂ）および図１７（Ｂ）に示すように、各阻止部材６４の歯車部６４ｂは、流下球流下経路Ｒ２へ進出した状態となり、流下球Ｐ２の排出球流下経路Ｒ１への侵入を阻止する。
また、排出球検出スイッチ７から検出信号が出力されてから排出球流下時間が経過したときに阻止部材駆動モータ６１が逆回転を開始し、各阻止部材６４が１／３逆回転して、各歯車部６４ｂが貫通部３１ｇ，３１ｈの内部へ退避する。
【００８６】
各阻止部材６４の各歯車部６４ｂを流下球流下経路Ｒ２へ進出させ、貫通部３１ｇ，３１ｈの内部へ退避させることができれば、阻止装置６０の構成は、上記のものに限定されない。例えば、阻止部材駆動モータ６１を１個のみ設け、歯車６２，６２を軸部材によって同軸上に連結し、上記阻止部材駆動モータ６１により２つの歯車６２を回転させることにより、２つの阻止部材６４を回動させることもできる。また、伝達歯車６３を使用しないで、歯車６２と阻止部材６４とを直接噛み合わせることにより、阻止部材６４を回動させることもできる。
なお、メインＣＰＵ１１２による阻止部材駆動モータ６１の制御は、第１実施形態において説明した阻止部材制御（図９）における「阻止部材駆動ソレノイド」を「阻止部材駆動モータ」に置き換えた制御内容を使用すればよい。また、阻止部材駆動モータとして、ステッピングモータを使用する場合は、阻止部材駆動モータの回転開始および回転停止をタイマの測定時間に基づいて行うのではなく、阻止部材駆動モータの回転角に基づいて行うこともできる。
【００８７】
［第３実施形態の効果］
（１）以上のように、上記第３実施形態のパチンコ機１を使用すれば、排出球Ｐ１が排出球流下経路Ｒ１を流下している期間は、各阻止部材６４の各歯車部６４ｂが、流下球流下経路Ｒ２を遮断する領域に存在するため、排出球Ｐ１が排出球流下経路Ｒ１を流下している期間は、流下球Ｐ２が上記領域を通過して特定領域２を通過することを阻止することができる。
従って、排出口３８から排出された排出球Ｐ１が、特定領域２を通過する確率を高めることができるパチンコ機を実現することができる。
また、排出球Ｐ１が特定領域２を通過した後は、各阻止部材６４の各歯車部６４ｂは、上記領域から盤面方向へ退避するため、流下球Ｐ２が特定領域２を通過可能な状態になる。
【００８８】
（２）各阻止部材６４の各歯車部６４ｂは、流下球Ｐ２の流下を阻止する必要のないときは、盤面方向へ退避するため、各阻止部材６４の各歯車部６４ｂを収容しておく箇所を盤面上に設ける必要がない。
従って、各阻止部材６４の各歯車部６４ｂを収容しておく箇所を盤面上に設けることにより、遊技球の流下の障害となることもない。
また、各阻止部材６４の各歯車部６４ｂが遊技領域６ａへ進出するとき、その各歯車部６４ｂが、突然、盤面の方向から遊技領域６ａへ進出するという動きを見せることができるため、遊技者の関心を引くことができる。
さらに、各阻止部材の各歯車６４ｂが貫通部３１ｇ，３１ｈから遊技領域６ａへ進出するときは、各歯車６４ｂは貫通部３１ｇ，３１ｈの内部の下方から遊技領域６ａへ出現し、その出現した面積を増加させながら遊技領域６ａ内を上方へ移動（回動）するため、流下球流下経路Ｒ２のうち、各歯車６４ｂによって遮断される領域が下から上へ次第に増加する。また、各歯車６４ｂが遊技領域６ａから貫通部３１ｇ，３１ｈへ退避するときは、上記遮断される領域が上から下へ次第に減少する。
さらに、各阻止部材６４の各歯車部６４ｂは、盤面から進出し、また盤面方向へ退避するという大きな動作をするため、各歯車部６４ｂが、流下球Ｐ２を阻止する状態にあるのか否か一目瞭然である。
【００８９】
（３）各阻止部材６４を回転させるため、各阻止部材６４を動かすための構造を比較的簡易にすることができる。
（４）各阻止部材６４の各歯車部６４ｂは、少なくとも排出球Ｐ１の一部が排出口３８から遊技領域６ａへ露出したときには、流下球流下経路Ｒ２を遮断する領域に存在するため、排出口３８から露出した排出球Ｐ１が流下球Ｐ２と干渉することにより、排出球Ｐ１が特定領域２を通過不能となるおそれがない。
【００９０】
（５）各阻止部材６４の各歯車部６４ｂは、少なくとも排出球Ｐ１の一部が排出口３８から遊技領域６ａへ露出してから特定領域２を通過するまでの間は、流下球流下経路Ｒ２を遮断する領域に存在するため、排出球Ｐ１が排出口３８から遊技領域６ａへ露出してから特定領域２を通過するまでの間において流下球Ｐ２と衝突することにより、排出球Ｐ１が特定領域２を通過不能となるおそれがない。
（６）排出球流下経路Ｒ１の左側に形成された流下球流下経路Ｒ２は、左側の阻止部材６４の歯車部６４ｂが遮断し、排出球流下経路Ｒ１の右側に形成された流下球流下経路Ｒ２は、右側の阻止部材６４の歯車部６４ｂが遮断するため、排出球流下経路Ｒ１の両側における排出球Ｐ１および流下球Ｐ２の干渉をなくすことができるので、排出球Ｐ１が特定領域２を通過する確率をより一層高めることができる。
【００９１】
（７）メインＣＰＵ１１２は、排出球検出スイッチ７により排出球Ｐ１が検出されたタイミングに基づいて、各阻止部材６４の各歯車部６４ｂが進退するように各阻止部材６４を駆動するため、排出球Ｐ１が排出口３８から排出される最適のタイミングで各阻止部材６４の各歯車部６４ｂを流下球流下経路Ｒ２へ進出させることができる。
従って、流下球Ｐ２および排出球Ｐ１の干渉を確実になくすことができる。また、排出口３８へ向けて流下する排出球Ｐ１が存在しないときに各阻止部材６４の各歯車部６４ｂが流下球流下経路Ｒ２へ進出してしまったり、各歯車部６４ｂが進出するタイミングが早いことにより、流下球Ｐ２が特定領域２を通過する機会が減少するおそれもない。
【００９２】
（８）排出球Ｐ１の一部が排出口３８から露出する丁度のタイミングで各阻止部材６４の各歯車部６４ｂを流下球流下経路Ｒ２へ進出させることができるため、流下球Ｐ２および排出球Ｐ１の干渉の阻止を時間の損失もなく確実に行うことができる。
（９）排出球Ｐ１が特定領域２を通過した丁度のタイミングで各阻止部材６４の各歯車部６４ｂを盤面方向へ退避させることができる。つまり、排出球Ｐ１が特定領域２を通過するまでは各阻止部材６４を流下球流下経路Ｒ２を遮断する形態に変化させておくことができるため、排出球Ｐ１の一部が排出口３８から露出してから排出球Ｐ１が特定領域２を通過するまでの期間は、流下球Ｐ２および排出球Ｐ１の干渉を確実になくすことができるので、排出球Ｐ１が特定領域２を通過する確率をより一層高めることができる。
また、排出球Ｐ１が特定領域２を通過した以降も各阻止部材６４が流下球流下経路Ｒ２を遮断する形態に変化していることにより、流下球Ｐ２の特定領域通過の機会が減少するおそれもない。
【００９３】
（１０）阻止部材６４を駆動する駆動源として阻止部材駆動モータ６１を用いることにより、阻止部材駆動モータ６１の回転を利用して阻止部材６４を回動させることができる。また、阻止部材駆動モータ６１は、オン・オフの単純な制御により駆動できるため、メインＣＰＵ１１２の制御内容を簡易なものにすることができる。
【００９４】
＜第４実施形態＞
次に、この発明の第４実施形態について図１８を参照して説明する。
この実施形態のパチンコ機は、阻止部材を流下球流下経路へ進出させるか否かを抽選により決定することを特徴とする。図１８は、この実施形態のパチンコ機に備えられたメインＣＰＵ１１２が実行する阻止部材制御２の流れを示すフローチャートである。
なお、この実施形態のパチンコ機は、阻止部材制御２の流れの一部以外は、第１実施形態のパチンコ機１と同じ構成および機能であるため、同じ部分の説明を簡略化または省略し、同じ構成については同じ符号を用いる。
【００９５】
メインＣＰＵ１１２は、排出球検出スイッチ７がオンしたと判定すると（Ｓ２：Ｙｅｓ）、阻止部材１１，１２を流下球流下経路Ｒ２へ進出させるか否かを抽選するためのカウンタからカウント値Ｃを１つ取得する（Ｓ３）。このカウンタは、複数のカウント値、例えば０〜９の計１０個のカウント値をカウントする。そして、カウンタから取得したカウント値Ｃが、予め設定されているカウント値Ｃ１であるか否かを判定する（Ｓ４）。カウント値Ｃ１は、例えばカウンタがカウントする０〜９の数値のうち、奇数のカウント値に設定される。
ここで、カウンタから取得したカウント値Ｃがカウント値Ｃ１であると判定すると（Ｓ４：Ｙｅｓ）、第１実施形態の阻止部材制御におけるＳ３〜Ｓ８（図９）と同じ処理を実行し、阻止部材駆動ソレノイド２０を駆動し、阻止部材１１，１２を流下球流下経路Ｒ２へ進出させ、排出球Ｐ１が特定領域２を通過するタイミングで阻止部材１１，１２を貫通部３１ｇ，３１ｈの内部へ退避させる（Ｓ５〜Ｓ１０）。
また、Ｓ４において、カウンタから取得したカウント値Ｃがカウント値Ｃ１ではないと判定した場合は（Ｓ４：Ｎｏ）、阻止部材駆動ソレノイド２０は駆動されず、阻止部材１１，１２は流下球流下経路Ｒ２へ進出しない。
【００９６】
［第４実施形態の効果］
（１）以上のように、上記第４実施形態のパチンコ機１を使用すれば、排出球検出スイッチ７が排出球Ｐ１を検出したときに、阻止部材駆動ソレノイド２０を駆動して阻止部材１１，１２を流下球流下経路Ｒ２へ進出させるか否かを抽選により決定するため、その抽選結果によっては阻止部材１１，１２が流下球流下経路Ｒ２へ進出せず、排出球Ｐ１が流下球Ｐ２の干渉を受けて特定領域２を通過不能となる可能性が生まれるので、遊技者は、阻止部材１１，１２が流下球流下経路Ｒ２へ進出するかどうか、非常にスリルのある遊技を楽しむことができる。
（２）第４実施形態のパチンコ機は、阻止部材制御２の一部以外は、第１実施形態のパチンコ機１と同じ構成および機能であるため、第１実施形態の効果（１）〜（１０）と同じ効果を奏することができる。
【００９７】
＜第５実施形態＞
次に、この発明の第５実施形態について図１９を参照して説明する。
この実施形態のパチンコ機は、遊技状態が時短になっているときは、阻止部材を流下球流下経路へ進出させないことを特徴とする。図１９は、この実施形態のパチンコ機に備えられたメインＣＰＵ１１２が実行する阻止部材制御３の流れを示すフローチャートである。なお、この実施形態のパチンコ機は、阻止部材制御３の流れの一部以外は、第１実施形態のパチンコ機１と同じ構成および機能であるため、同じ部分の説明を簡略化または省略し、同じ構成については同じ符号を用いる。
【００９８】
メインＣＰＵ１１２は、排出球検出スイッチ７がオンしたと判定すると（Ｓ２：Ｙｅｓ）、時短フラグがオンしているか否かを判定する（Ｓ３）。ここで、時短とは、特別図柄および普通図柄の変動開始から変動停止までに要する時間である変動時間が短縮され、かつ、普通図柄の変動停止時に当り普通図柄が確定表示されたときの始動入賞装置４の開閉翼片４ａ，４ｂの開放時間が延長される遊技状態のことであり、時短フラグとは、遊技状態が時短に変化していることを示すフラグである。
ここで、メインＣＰＵ１１２は、時短フラグがオンしていると判定した場合は（Ｓ３：Ｙｅｓ）、この処理を抜け、次の処理へ移行する。つまり、Ｓ７は実行されず、阻止部材１１，１２が遊技領域６ａへ進出しないため、流下球Ｐ２は各流下球流下経路Ｒ２を流下し、開放された開閉翼片４ａ，４ｂから入賞可能となる。
また、時短フラグがオンしていないと判定した場合は（Ｓ３：Ｎｏ）、阻止部材駆動ソレノイド２０を駆動して阻止部材１１，１２を進退させる（Ｓ４〜Ｓ９）。
【００９９】
なお、遊技状態が確変に変化しているときは、阻止部材１１，１２の遊技領域６ａへの進出を禁止するように制御することもできる。ここで、確変とは、大当りの発生する確率の高い遊技状態のことである。例えば、大当り図柄のうち、奇数を表現した特別図柄により構成された大当り図柄など、特定の大当り図柄が確定表示された場合に、その大当り図柄が確定表示されたことに起因して実行される大当り遊技が終了した以降、所定期間の遊技状態が確変に変化する。確変時に阻止部材１１，１２の遊技領域６ａへの進出を禁止するためには、図１９のＳ３を「確変フラグ・オン？」という判定内容に変更する。また、確変は、大当りの発生する確率が高くなるとともに時短にもなるように設定されているパチンコ機の場合にも、上記阻止部材制御３を実行することができる。
【０１００】
［第５実施形態の効果］
（１）以上のように、上記第５実施形態のパチンコ機１を使用すれば、遊技状態が時短に変化しているときは、阻止部材１１，１２を遊技領域６ａへ進出させないようにすることができるため、流下球Ｐ２の開放された開閉翼片４ａ，４ｂからの入賞を促進することができる。従って、遊技者が折角獲得した時短による利益が損なわれるおそれがない。
（２）第５実施形態のパチンコ機は、阻止部材制御３の一部以外は、第１実施形態のパチンコ機１と同じ構成および機能であるため、第１実施形態の効果（１）〜（１０）と同じ効果を奏することができる。
【０１０１】
＜他の実施形態＞
（１）流下球Ｐ２の流下経路が、左右の流下球流下経路Ｒ２のうち一方に偏る傾向がある場合は、排出球Ｐ１と流下球Ｐ２との干渉は、その一方の流下球流下経路Ｒ２に沿って流下する流下球Ｐ２と排出球Ｐ１との間で発生することが殆どであるから、その一方の流下球流下経路Ｒ２へ進出する阻止部材を１つのみ設けることもできる。この構成を採る場合、貫通部３１ｇ，３１ｈは、１つのみ設ける阻止部材を進退させる側のみに形成すればよい。この構成によれば、排出球Ｐ１と流下球Ｐ２との干渉を殆ど阻止することができるため、排出球Ｐ１が特定領域２を通過する確率を高めることができる。
【０１０２】
（２）第４実施形態の阻止部材制御２（図１８）において、「阻止部材駆動ソレノイド」を「阻止部材駆動モータ」に置き換えることにより、阻止部材制御２を第３実施形態に適用することもできる。この構成によれば、排出球検出スイッチ７が排出球Ｐ１を検出したときに、阻止部材駆動モータ６１を駆動して各阻止部材６４の各歯車部６４ｂを流下球流下経路Ｒ２へ進出させるか否かを抽選により決定するため、その抽選結果によっては各歯車部６４ｂが流下球流下経路Ｒ２へ進出せず、排出球Ｐ１が流下球Ｐ２の干渉を受けて特定領域２を通過不能となる可能性が生まれるので、遊技者は、各歯車部６４ｂが流下球流下経路Ｒ２へ進出するかどうか、非常にスリルのある遊技を楽しむことができる。
【図面の簡単な説明】
【０１０３】
【図１】この発明の実施形態に係るパチンコ機の外観を正面から見た説明図である。
【図２】図１に示すパチンコ機に備えられた遊技盤を正面から見た概略説明図である。
【図３】図３（Ａ）は図２に示す遊技盤に備えられたセンターケースおよび始動入賞装置の正面説明図であり、図３（Ｂ）は図３（Ａ）の縦断面を右側面から見た説明図である。
【図４】図４（Ａ）は阻止装置からソレノイドを外した状態の斜視図であり、図４（Ｂ）はソレノイドがオフの状態の説明図であり、図４（Ｃ）はソレノイドがオンの状態の説明図である。
【図５】図５は排出口３８から始動入賞装置４にかけての部分の縦断面を右側面から見た説明図である。図５（Ａ）は阻止部材が盤面方向へ退避した状態の説明図であり、図５（Ｂ）は阻止部材が遊技領域６ａへ進出した状態の説明図である。
【図６】図６（Ａ）は図５（Ａ）に対応する斜視図であり、図６（Ｂ）は図５（Ｂ）に対応する斜視図である。
【図７】図７（Ａ）は、排出口３８の周囲を拡大して示す部分拡大図であり、図７（Ｂ）は、排出球流下経路および流下球流下経路の説明図である。
【図８】パチンコ機１の電気的構成をブロックで示す説明図である。
【図９】メインＣＰＵ１１２が実行する阻止部材制御の流れを示すフローチャートである。
【図１０】図１０（Ａ）は第２実施形態のパチンコ機に備えられたセンターケースおよび始動入賞装置の正面説明図であり、図１０（Ｂ）は図１０（Ａ）の縦断面を右側面から見た説明図である。
【図１１】図１１（Ａ）は前方へ回動する前の阻止装置を示す斜視図であり、図１１（Ｂ）は前方へ回動した後の阻止装置の斜視図である。図１２は排出口３８から始動入賞装置４にかけての部分の縦断面を右側面から見た説明図である。
【図１２】図１２（Ａ）は阻止部材が盤面方向へ退避した状態の説明図であり、図１２（Ｂ）は阻止部材が流下球流下経路へ進出した状態の説明図である。
【図１３】図１３（Ａ）は図１２（Ａ）に対応する斜視図であり、図１３（Ｂ）は図１２（Ｂ）に対応する斜視図である。
【図１４】図１４（Ａ）は第３実施形態のパチンコ機に備えられたセンターケースおよび始動入賞装置の正面説明図であり、図１４（Ｂ）は図１４（Ａ）の縦断面を右側面から見た説明図である。
【図１５】図１５（Ａ）は阻止部材が流下球流下経路へ進出する前の阻止装置を示す斜視図であり、図１５（Ｂ）は阻止部材が流下球流下経路へ進出した状態の阻止装置の斜視図である。
【図１６】図１６は排出口３８から始動入賞装置４にかけての部分の縦断面を右側面から見た説明図である。図１６（Ａ）は阻止部材が盤面方向へ退避した状態の説明図であり、図１６（Ｂ）は阻止部材が流下球流下経路へ進出した状態の説明図である。
【図１７】図１７（Ａ）は図１６（Ａ）に対応する斜視図であり、図１７（Ｂ）は図１６（Ｂ）に対応する斜視図である。
【図１８】第４実施形態のパチンコ機に備えられたメインＣＰＵ１１２が実行する阻止部材制御２の流れを示すフローチャートである。
【図１９】第５実施形態のパチンコ機に備えられたメインＣＰＵ１１２が実行する阻止部材制御３の流れを示すフローチャートである。
【符号の説明】
【０１０４】
１・・パチンコ機、２・・特定領域、６・・遊技盤、６ａ・・遊技領域、７・・排出球検出スイッチ（検出手段）、１１，１２・・阻止部材、１３・・接続部材（変化手段）、２０・・阻止部材駆動ソレノイド（駆動源）、３５・・球取込口（開口部）、３０・・センターケース、３１・・ハウジング、３８・・排出口、１１２・・メインＣＰＵ１１２（決定手段）、Ｒ１・・排出球流下経路、Ｒ２・・流下球流下経路。
【図１】
2006314455.tif 000003
【図２】
2006314455.tif 000004
【図３】
2006314455.tif 000005
【図４】
2006314455.tif 000006
【図５】
2006314455.tif 000007
【図６】
2006314455.tif 000008
【図７】
2006314455.tif 000009
【図８】
2006314455.tif 000010
【図９】
2006314455.tif 000011
【図１０】
2006314455.tif 000012
【図１１】
2006314455.tif 000013
【図１２】
2006314455.tif 000014
【図１３】
2006314455.tif 000015
【図１４】
2006314455.tif 000016
【図１５】
2006314455.tif 000017
【図１６】
2006314455.tif 000018
【図１７】
2006314455.tif 000019
【図１８】
2006314455.tif 000020
【図１９】
2006314455.tif 000021